(57)【特許請求の範囲】
【請求項１】
箱型容器本体２の頂部中央に、底板10及び上方へ広がる左右側板11で形成される前面及び上面開口の凹部９を設けるとともに、底板10に取出口12を穿設し、両側板11上端縁に薄肉の外ヒンジ13を介してそれぞれ外側縁を連結するとともに、側板11上面にそれぞれ下面を当接する一対の弾性板３を設け、各弾性板の内側縁を薄肉の内ヒンジ14を介して両側縁に連結するとともに、下面を底板10上面に当接させて取出口12を閉塞し、且つ、裏面より垂設した一対の係止板15外面を取出口12両側縁に係合させて取出口12内に挿入嵌合させた蓋板４を設けてなることを特徴とする合成樹脂製の錠剤容器。
【請求項２】
容器本体２の下端面に開口した開口部に上面より突設した嵌合筒18を密嵌して閉塞するとともに、一縁部を容器本体２底面縁部に薄肉ヒンジ17を介して回動可能に連結した底蓋５を設け、各弾性板３の上方反転状態で各係止板15が取出口12より抜け出した状態となる如く構成してなる請求項１記載の錠剤容器。
【発明の詳細な説明】
【０００１】
【発明の属する技術分野】
本発明は錠剤容器に関する。
【０００２】
【従来の技術】
錠剤容器として、ボトルタイプの容器体にキャップを着脱自在に装着したものが極一般に使用されている。
【０００３】
【発明が解決しようとする課題】
これらは自宅等で使用する場合には不都合はないが、携帯時にはかさばり、またキャップを取り外して収納錠剤を取り出すため取り扱いも不便である。
本発明はこの様な点を考慮してなされたもので、携帯に便利でワンタッチでの蓋の開閉ができて取り外す必要がなく、また、合成樹脂の一体成形により形成することができるため安価に製造できる利点を兼ね備えた優れた錠剤容器を提案するものである。
【０００４】
【課題を解決するための手段】
本請求項１発明の容器は上記課題を解決するため、箱型容器本体２の頂部中央に、底板10及び上方へ広がる左右側板11で形成される前面及び上面開口の凹部９を設けるとともに、底板10に取出口12を穿設し、両側板11上端縁に薄肉の外ヒンジ13を介してそれぞれ外側縁を連結するとともに、側板11上面にそれぞれ下面を当接する一対の弾性板３を設け、各弾性板の内側縁を薄肉の内ヒンジ14を介して両側縁に連結するとともに、下面を底板10上面に当接させて取出口12を閉塞し、且つ、裏面より垂設した一対の係止板15外面を取出口12両側縁に係合させて取出口12内に挿入嵌合させた蓋板４を設けてなることを特徴とする合成樹脂製の錠剤容器として構成した。
【０００５】
また、請求項２発明の容器は、容器本体２の下端面に開口した開口部に上面より突設した嵌合筒18を密嵌して閉塞するとともに、一縁部を容器本体２底面縁部に薄肉ヒンジ17を介して回動可能に連結した底蓋５を設け、各弾性板３の上方反転状態で各係止板15が取出口12より抜け出した状態となる如く構成してなる請求項１記載の錠剤容器として構成した。
【０００６】
【発明の実施の形態】
以下、本発明の実施例の形態を図面を参照して説明する。
【０００７】
本発明の錠剤容器１は、合成樹脂により一体に形成されたものであり、容器本体２と、一対の弾性板３により支持された蓋板４と、底蓋５とを備えている。
容器本体２は前板６と後板７とを幅狭の連結板８で連結してなる前後に扁平な箱型で、頂部中央に凹部９を設けている。
【０００８】
凹部９は、底板10及び左右側板11，11で形成されるとともに、下端縁より外方に上端縁が位置する如く各側板11が上方へ広がる前後面及び上面を開口したものである。また、凹部９の底板10には取出口12を穿設している。図示例では、正面視が上方へ突出する円弧状をなし、平面視が横長長方形状をなす底板10の両側へ、平面視が斜め外方下方へ突出する円弧状をなし、平面視が横長長方形状をなす側板11をそれぞれ延設して凹部９を形成している。
【０００９】
弾性板３は、凹部９を形成する両側板11上端縁にそれぞれ薄肉の外ヒンジ13を介して外側縁を連結して側板11上面に下面を当接し、また、内側縁を薄肉の内ヒンジ14を介して蓋板４の両側縁にそれぞれ連結している。各弾性板３の形状は、種々選択できるが、例えば、図示例の如き正面視が下方へ凹む円弧状をなし、平面視が横長方形形状をなす板状のもの、或いは、正面視が上方へ突出する円弧状をなし、平面視が横長長方形状をなす板状もの、或いは単純な横長長方形板状のもの等が挙げられ、上記した凹部９の側板11の形状にあわせて選択する。尚、図示例の弾性板に於ける外ヒンジ13は、外面から凹溝を形成することにより形成されたものであり、内ヒンジ14は内面から凹溝を形成することにより形成されたものであり、この様に構成することにより、弾性板３の弾性反転をより行い易くしている。
【００１０】
蓋板４は、各弾性板３の内側縁を内ヒンジ14を介して両側縁に連結して下面を底板10上面に当接させるとともに、裏面より垂設した一対の係止板15外面を取出口12両側縁に係合させて取出口12内に挿入嵌合させている。また、蓋板４の縁部には指掛け用突片16を突設している。係止板15は、その外面を取出口12両側縁に密に摺動する如く構成し、内部の気密性をより高めると良い。
【００１１】
底蓋５は、容器本体２の下端面に開口した開口部に上面より突設した嵌合筒18を密嵌して閉塞するとともに、一縁部を容器本体２底面縁部に薄肉ヒンジ17を介して回動可能に連結している。
【００１２】
上記の如き錠剤容器１は、図１の２点鎖線に示す状態から指掛け用突片16を上方へ押し上げると、各弾性板３が弾性変形しつつ外ヒンジ13を中心に回動して上方へ反転し、元の非弾性変形状態に戻った位置で安定化し、それに伴って蓋板４が上方へ移行するとともに、各係止板15が取出口12から抜け出す。この状態から容器本体２を傾ければ収納錠剤は蓋板４と各係止板15との間に移行し下方へ落下して取り出すことができる。
使用後は蓋板４を押し込むことにより、各弾性板３が弾性変形しつつ反転して元の状態に戻り、それに伴って蓋板４も元の取出口12閉塞状態に戻る。
【００１３】
【発明の効果】
以上説明した如く本発明の錠剤容器は、既述構成としたことにより、特に、箱型容器本体２の頂部中央に、前面及び上面開口の凹部９を設けるとともに、底板10に取出口12を穿設し、両側板11上端縁に薄肉の外ヒンジ13を介してそれぞれ外側縁を連結するとともに、側板11上面にそれぞれ下面を当接する一対の弾性板３を設け、各弾性板の内側縁を薄肉の内ヒンジ14を介して両側縁に連結するとともに、下面を底板10上面に当接させて閉塞した蓋板４を設けているので、蓋板４を押し出すという簡単な操作で開蓋でき、また、蓋板４を押し戻すという簡単な操作で閉蓋することができ、取り扱いが便利である。
【００１４】
また、蓋板４裏面より垂設した一対の係止板15外面を取出口12両側縁に係合させて取出口12内に挿入嵌合させているので、閉蓋時には各弾性板による係止力に加えて、蓋板４をより確実に閉蓋状態に維持しておくことができ、外力で簡単に開蓋せず、また、開蓋時には掌上に蓋体部分を置いて傾けるだけで略所定量の錠剤が蓋板４と各係止板15に囲まれた領域に滑り出し、そのまま掌上に移行するため取り出しも便利である。
【００１５】
更に、容器本体２の下端面に開口した開口部に上面より突設した嵌合筒18を密嵌して閉塞するとともに、一縁部を容器本体２底面縁部に薄肉ヒンジ17を介して回動可能に連結した底蓋５を設け、各弾性板３の上方反転状態で各係止板15が取出口12より抜け出した状態となる如く構成したものにあっては、合成樹脂の一体成形が可能であるため、容易に且つ安価に製造できる利点を兼ね備えている。
【図面の簡単な説明】
【図１】本発明錠剤容器の一実施例を示す開蓋状態の縦断面図である。
【図２】同実施例の開蓋状態の斜視図である。
【図３】同実施例の正面図である。
【符号の説明】
２…容器本体，３…弾性板，４…蓋板，５…底蓋，９…凹部，10…底板，
11…側板，12…取出口，13…外ヒンジ，14…内ヒンジ，15…係止板，
17…薄肉ヒンジ，18…嵌合筒
【図１】
0003666726.tif 000002
【図２】
0003666726.tif 000003
【図３】
0003666726.tif 000004